(57)【特許請求の範囲】
【請求項１】
前面が開口した筐体と、上面開口を有し、前記筐体の内側に設置されたレールに沿って前方に引き出し自在に前記筐体に配設され、食器類を整列するための食器籠が配置された洗浄庫と、食器類を洗浄すべく前記洗浄庫内に水を噴射する洗浄ポンプと、前記筐体内の上方空間に設けられ、前記洗浄庫が前記筐体内に収納された状態において前記洗浄庫の上面開口を閉塞する上蓋と、前記洗浄庫が前後に移動することにより距離が変化する前記洗浄庫の後壁と前記筐体の後面板との間に配設された給水流路及び排水流路と、を備え、
前記給水流路は、外部水道栓に接続される一次給水ホースと、前記筐体の後面板に取り付けられ、前記給水ホースに接続された給水バルブと、一端が前記洗浄庫の給水口に接続されるとともに他端が前記給水バルブに接続された二次給水ホースとから構成され、
更に、前記筐体の後底部には筐体の底面板上に水が溜まったことを検知する水漏れ検知装置を設け、
該水漏れ検知装置は、導電体である二個の電極と、該二個の電極を、所定間隔離すとともに前記筐体の底面板から所定距離離間して保持し、前記筐体の底面板に溜まる水によって電気的に導通する位置に位置決めする絶縁体からなるホルダと、該ホルダから垂下するようにホルダに設けられ、前記二個の電極を隔て且つ下縁端が前記筐体の底面板に当接又はごく近接し、前記二個の電極よりも下方に位置する隔壁片と、前記二個の電極が導通したか否かを判定する判定手段とを含み、
前記二個の電極の間に位置する隔壁片は、該隔壁片を回り込むように水が溜まった状態で且つ二個の電極に接触するまで水位が上昇したときに水漏れ検知が行われるように配置されていることを特徴とする食器洗い機。
【請求項２】
前記二個の電極を個別に内装する二個のハウジングを設け、前記ホルダは、前記二個のハウジングを所定間隔離すとともに前記筐体の底面板から所定距離離間する状態にて、前記二個のハウジングをそれぞれ着脱自在に保持する構成であり、前記ハウジングの一部が電極よりも下方に位置することを特徴とする請求項１に記載の食器洗い機。
【発明の詳細な説明】
【０００１】
【発明の属する技術分野】
本発明は食器洗い機に関する。
【０００２】
【従来の技術】
家庭用の食器洗い機は、一般に、洗浄庫内に水道水を導入してその底部に貯留し、そのあとポンプを作動させて貯留した水を吸引してノズルへ送給し、ノズルから勢いよく水を噴射させて洗浄庫内に収容した食器類を洗浄するという構成を有している。従来のこの種の食器洗い機は、筐体の内部に洗浄庫が配設され、筐体の前面には手前下方に回動するドアが設けられ、ドアを開いた状態で洗浄庫内から食器籠を水平前方に引き出す構造となっている。
【０００３】
近年、システムキッチンの普及に伴い、システムキッチンに組み込むためのビルトインタイプの食器洗い機が市販されている。ビルトインタイプに適した食器洗い機として、特開２０００−１３９７９９号公報等に記載のものが知られている。すなわち、この種の食器洗い機はいわゆる引出し方式の食器洗い機であって、食器を収納するための食器籠を内装する洗浄庫が前面板を兼ねるドアとともに前方に引出し可能に構成されている。洗浄庫を引き出した状態では洗浄庫の上面が広く開口していて上から食器類を出し入れできるようになっており、洗浄庫を筐体に押し入れると筐体内の上部空間に待機していた上蓋が降下して洗浄庫の上面開口を閉塞する構造を有している。
【０００４】
【発明が解決しようとする課題】
このような引出し式食器洗い機では、例えば、上面開口の密封性の不足、給水ホースや排水ホースからの水漏れ、或いは、洗浄庫を前方に引き出した際に筐体内に残る上蓋の下面に付着していた水の滴下などの各種の要因によって、筐体内の底部に水が溜まり、甚だしくなると機外へと流れ出して周囲を濡らしてしまう。また、筐体内底部に水が溜まる状況が長く続くと、金属製である筐体の錆や腐食等の原因となる。そこで、従来より、筐体底部に水が溜まったことを検知する水漏れ検知装置が使用されている。水漏れ検知装置は、例えば、二本の電極棒を底面板に近接して配置し、底面板に水が溜まったときにその二本の電極棒間に水を介して電流が流れることを検出して水漏れがあると判断する。
【０００５】
しかしながら、本来の検知したい水漏れではなく結露等によって発生する大きな水滴が二本の電極棒間に存在すると、これを水漏れであると誤検知してしまう等、必ずしも検知の確実性が充分に高いものではなかった。また、食器洗い機の輸送時等に振動が加わると、電極棒が底面板に衝突して電極棒が破損したり、或いは破損にまで至らずとも底面板に接触して、水が無くても導通状態になり水漏れ検知装置としては使用不能に陥ってしまうといった問題もある。
【０００７】
本発明はこのような点に鑑みて成されたものであり、その目的とするところは、誤検知が少なく且つ高い信頼性を有する水漏れ検知装置を備えた食器洗い機を提供することにある。
【０００８】
【課題を解決するための手段、及び効果】
上記課題を解決するために成された本発明に係る食器洗い機は、前面が開口した筐体と、上面開口を有し、前記筐体の内側に設置されたレールに沿って前方に引き出し自在に前記筐体に配設され、食器類を整列するための食器籠が配置された洗浄庫と、食器類を洗浄すべく前記洗浄庫内に水を噴射する洗浄ポンプと、前記筐体内の上方空間に設けられ、前記洗浄庫が前記筐体内に収納された状態において前記洗浄庫の上面開口を閉塞する上蓋と、前記洗浄庫が前後に移動することにより距離が変化する前記洗浄庫の後壁と前記筐体の後面板との間に配設された給水流路及び排水流路と、を備え、
前記給水流路は、外部水道栓に接続される一次給水ホースと、前記筐体の後面板に取り付けられ、前記給水ホースに接続された給水バルブと、一端が前記洗浄庫の給水口に接続されるとともに他端が前記給水バルブに接続された二次給水ホースとから構成され、
更に、前記筐体の後底部には筐体の底面板上に水が溜まったことを検知する水漏れ検知装置を設け、
該水漏れ検知装置は、導電体である二個の電極と、該二個の電極を、所定間隔離すとともに前記筐体の底面板から所定距離離間して保持し、前記筐体の底面板に溜まる水によって電気的に導通する位置に位置決めする絶縁体からなるホルダと、該ホルダから垂下するようにホルダに設けられ、前記二個の電極を隔て且つ下縁端が前記筐体の底面板に当接又はごく近接し、前記二個の電極よりも下方に位置する隔壁片と、前記二個の電極が導通したか否かを判定する判定手段とを含み、
前記二個の電極の間に位置する隔壁片は、該隔壁片を回り込むように水が溜まった状態で且つ二個の電極に接触するまで水位が上昇したときに水漏れ検知が行われるように配置されていることを特徴としている。
【０００９】
本食器洗い機の輸送時や据付時などに大きな振動が加わっても、電極自体が底面板へ接触してしまうことを免れる。したがって、電極の破損や損傷を確実に防止することができ、高い信頼性を達成し得る。
【００１１】
そして、上記ホルダの隔壁片の下縁端が筐体の底面板に当接又はごく近接してるため、本食器洗い機の輸送時や据付時に大きな振動が加わっても、電極自体が底面板に接触することを防止することができ、また、電極と底面板との間の離間距離が極端に狭まることがなく、確実に或る一定距離を保つことができる。したがって、電極の破損や損傷が防止できるとともに、当初の設計通りの水漏れ検知の機能も充分に発揮できる。更にまた、両電極の間に隔壁片が存在することによって、大きな水滴は該隔壁片で分断されて両電極間が導通せず、隔壁片を回り込むように水が溜まった状態で且つ両電極に接触する水位まで上昇したときに水漏れであると検知する。したがって、誤検知の可能性が非常に低くなり、水漏れを確実に検知することができる。
【００１２】
また、上記食器洗い機では、二個の電極を個別に内装するとともに該電極に水が到達するための通水開口を有する二個のハウジングと、該二個のハウジングを所定間隔離すとともに筐体の底面板から所定距離離間してそれぞれ着脱自在に保持するホルダとを含み、前記ハウジングの一部が電極よりも下方に位置した構成とすることができる。
【００１３】
すなわち、上記ハウジングの一実施態様としては、電気回路基板と電気ケーブル線とを着脱自在に接続する、又は電気ケーブル線同士を中継しつつ着脱自在に接続する際に通常使用されるいわゆるコネクタのハウジングを利用することができ、電極は該ハウジングに嵌挿される、圧着等により電気ケーブル線が接続された金属端子とすることができる。このような構成では、金属端子はハウジング内部に収納されていて外部に剥き出しになっていないので、本食器洗い機の輸送時や据付時にたとえ大きな振動が加わって筐体の底面板等に衝突しても、金属端子が破損したり損傷したりすることがない。したがって、高い信頼性が達成される。また、電極を内装するハウジングはホルダに対して着脱が容易であるので、仮に破損や断線等が生じた場合でも簡単に、且つ一個ずつ独立に交換することができる。したがって、修理が容易であって、修理のコストも安価で済む。
【００２９】
【発明の実施の形態】
以下、本発明の一実施形態による食器洗い機について図面を参照して説明する。図１は本実施形態による食器洗い機の全体構成を示す概略側面断面図、図２及び図３は本食器洗い機の要部の背面透視図、図４は本食器洗い機の後部の要部の上面図である。
【００３０】
図１に示すように、前面が開口した筐体１の内部には上面開口３を有する洗浄庫２が配設され、洗浄庫２の内部には食器類を整列するための図示しない食器籠が設置されている。洗浄庫２は筐体１の前面開口を閉塞するドアを兼ねる前面パネル４と一体になっており、筐体１の両側壁内側に略水平に設置されたレール５に沿って、図１中に示すように前方に引き出し自在となっている。
【００３１】
筐体１内の上方空間には、洗浄庫２の上面開口３を閉塞するための上蓋９が、筐体１の両側壁内側に一端が軸支され、他端が上蓋９の両側面に軸支された左右一対の平行リンク１０により揺動自在に支持されている。洗浄庫２が筐体１内に収納された状態では、上蓋９は洗浄庫２の上面に密着して上面開口３を閉塞し、洗浄庫２が筐体１から前方に引き出された状態では、上蓋９は前方にせり出しつつ持ち上がった状態で保持される。
【００３２】
洗浄庫２の後壁２ｂに設けられた給水口２ｃには給水流路４０を構成する二次給水ホース４３の一端が接続されており、その他端は筐体１の後面板１ｂに取り付けられている給水バルブ４２の出口４２２に接続されている。給水バルブ４２の入口４２１に接続された一次給水ホース４１は図示しない外部の水道栓に接続されており、給水バルブ４２が開放されると水道栓から供給された水が二次給水ホース４３を通して給水口２ｃから洗浄庫２内に注がれる。洗浄庫２の底部には大きく窪んだ貯水槽７が配設されており、洗浄庫２内に注がれた水は貯水槽７に流れ込んで貯留される。洗浄庫２の底部中央には、上面に複数のノズルが形成された回転自在のアーム６が設けられ、洗浄庫２の底面下方には洗浄兼排水ポンプ８が配置されている。
【００３３】
洗浄兼排水ポンプ８は、内部に洗浄インペラ８１と排水インペラ８２とを備えるポンプケーシング８０と、両インペラ８１、８２を同軸で回転駆動するポンプモータ８３とを含む。ポンプケーシング８０はその内部が洗浄ポンプ室と排水ポンプ室とに区画され、洗浄ポンプ室はその内部に洗浄インペラ８１を備えるとともに、貯水槽７に連通する洗浄用吸入口とアーム６に連通する洗浄用吐出口とを有する。一方、排水ポンプ室はその内部に排水インペラ８２を備えるとともに、貯水槽７に連通する排水用吸入口と排水流路３０を構成する一次排水ホース３１が接続される排水用吐出口とを有する。
【００３４】
貯水槽７を含む洗浄庫２の底部に所定量の水が貯留された状態でポンプモータ８３が所定方向に回転駆動されると、洗浄インペラ８１により洗浄兼排水ポンプ８が洗浄ポンプとして作動する。このときには、貯水槽７から洗浄ポンプ室内に吸引された水がアーム６へと送出され、ノズルから洗浄庫２内に噴射される。これにより、洗浄庫２内に収容された食器類に水が吹き掛かって汚れが落とされる。一方、ポンプモータ８３が逆方向に回転駆動されると、排水インペラ８２により洗浄兼排水ポンプ８が排水ポンプとして作動する。このときには、貯水槽７から排水ポンプ室内へ吸引された水が一次排水ホース３１へと送出されて、最終的には機外の排水配管などに排出される。また、筐体１の後底部には底面板１ｃ上に水が溜まったことを検知する水漏れ検知部５０が設けられている。
【００３５】
本食器洗い機では、上述したように洗浄庫２が略水平に前後方向に移動するため、洗浄庫２の後壁２ｂと筐体１の後面板１ｂとの間の距離が変化する。この両者に跨って給水流路４０、排水流路３０のほか図示しない各種の電気ケーブルが配設されているから、これらは筐体１内からの洗浄庫２の引き出し動作に伴って牽引され、押し入れ動作に伴って弛緩して洗浄庫２の後方空間に収納される。こうした動作を円滑に行うために、本食器洗い機では、筐体１の後面板１ｂに面して垂直軸Ｓを中心に回動自在にホースホルダ１１を設けている。
【００３６】
ホースホルダ１１は合成樹脂製の一体成型部材であって、図２に示すように、排水流路３０の一部を構成する直管部１１１と、二次給水ホース４３や図示しない電気ケーブル類を着脱自在に保持するホルダ部１１２と、同じく合成樹脂製の一体成型部材である給水バルブホルダ１２に設けられた軸支部１２１に回動自在に係合して垂直軸Ｓを形成する軸部１１３とを備えている。
【００３７】
使用者により筐体１内から洗浄庫２が前方に引き出されるときには、二次給水ホース４３及び二次排水ホース３３（更には図示しない電気ケーブル）が共に牽引され、これに引かれてホースホルダ１１は垂直軸Ｓを中心に回転して両ホース４３、３３を送り出す。これにより、これらホース４３、３３及びその両側の各種部材に無理な力が掛からない。また、使用者が洗浄庫２を引き出した状態から筐体１内に押し入れると、二次給水ホース４３及び二次排水ホース３３に押されてホースホルダ１１は先と反対方向に回転して筐体１の後面板１ｂに張り付き、二次給水ホース４３及び二次排水ホース３３は、洗浄庫２の後壁２ｂと筐体１の後面板１ｂとの間の空間に図２に示すようにＵ字状に屈曲した状態で収納される。
【００３８】
次に、本食器洗い機における給水流路４０及び排水流路３０の構造について、より詳しく説明する。
図２に示すように、機外から洗浄庫２の給水口２ｃに至るまでの給水流路４０は、入口端部に水道栓との接続金具４１１を備える一次給水ホース４１、給水バルブ４２、及び二次給水ホース４３から成る。製造段階での組立時には、一次給水ホース４１と給水バルブ４２とは予めユニット化され、この給水バルブユニットを給水バルブホルダ１２に嵌め込んで固定し、給水バルブホルダ１２を筐体１の後面板１ｂにネジで固定するようにしている。
【００３９】
図１０は上記給水バルブユニットを給水バルブホルダ１２に嵌め込んだ状態を示す外観図であり、図１１は図１０中のＤ−Ｄ’線断面図、図１２は図１０中のＥ−Ｅ’線断面図である。
【００４０】
一次給水ホース４１は例えば金属製のフレキシブル管であって、給水バルブ４２とは外形が六角形の締結金具４２３により螺着されている。この食器洗い機を使用者宅に設置する場合、一次給水ホース４１の端部の接続金具４１１を水道栓の分岐水栓などに螺着するわけであるが、その際に一次給水ホース４１を介して締結金具４２３が回ってしまうと、一次給水ホース４１と給水バルブ４２との連結が緩んで水漏れ等の原因となる。そこで、この食器洗い機では、給水バルブホルダ１２にあって給水バルブユニットを嵌め込む際に締結金具４２３が来る位置に両側から係止片１２２を延在させ、締結金具４２３の対向する二面を両側から挟むようにしている。図１１に示すように、この両側の係止片１２２の間隔ｄ１は締結金具４２３の対角を結ぶ直線距離ｄ２よりも小さいから、たとえ一次給水ホース４１に回転する力が加わっても締結金具４２３は係止片１２２に係止されて回転しない。
【００４１】
また、この給水バルブホルダ１２は、肉薄のヒンジ部１２３で回動するとともに係合爪１２４が係合穴１２５に挿入された状態でロックされるホースクランプ１２６を一体に有している。すなわち、図１２に示すようにホースクランプ１２６を展開した状態で給水バルブユニットを給水バルブホルダ１２に嵌め込むと、一次給水ホース４１の根元が断面半円形状の一方のクランプ内に収まるから、そのあとヒンジ部１２３で他方の断面半円形状のクランプを被せ、係合爪１２４を係合穴１２５に挿入してロックする。このようにして、給水バルブユニットを給水バルブホルダ１２に容易に固定することができる。
【００４２】
なお、図１０に示したような締結金具４２３の回転防止構造では、給水バルブユニットを給水バルブホルダ１２に嵌め込む際の締結金具４２３の回転位置が限定される。つまり、締結金具４２３の対向する二面がそれぞれ係止片１２２に対面する位置でなければ嵌め込むことができない。そこで、このような位置の限定をなくすために図１３及び図１４に示す構造を採用してもよい。すなわち、締結金具４２３を挟むように両側に立設されたボス１２７の間に略半円形状で且つその内周面に滑り防止用の凹凸条を形成した金属製の押さえ板１２８を差し渡し、ボス１２７にネジで締め付ける。これにより、押さえ板１２８の凹条が締結金具４２３の角に歯合し、締結金具４２３の回転を防止することができる。
【００４３】
図２及び図４に示すように、洗浄兼排水ポンプ８の排水ポンプ室から機外に至るまでの排水流路３０は、一次排水ホース３１、逆止弁３２、二次排水ホース３３、ホースホルダ１１の一部である直管部１１１、三次排水ホース３４、下方に屈曲したエアトラップ管３５、略Ｌ字状に屈曲した第１排水パイプ３７、同じく略Ｌ字状に屈曲した第２排水パイプ３８、及び外部排水ホース３９から成る。
【００４４】
図８は第１排水パイプ３７と第２排水パイプ３８との連結部の横断面図である。第１排水パイプ３７の出口側の円筒端面は後面板１ｂに設けられた開口から突出し、その周縁に形成された鍔部３７３において後面板１ｂにネジで固定されている。第２排水パイプ３８の入口側の円筒端面から外側に広がる鍔部３８１の外周側の溝には、弾性体から成るＯリング３８２が嵌め込まれており、このＯリング３８２を介して第１排水パイプ３７の鍔部３７３の内周面に接している。
【００４５】
従来、第１排水パイプの端部の後方への突出量はもっと大きく、その外周にゴムホースの一端面を嵌め込むことによって両者の連結が図られていた。この連結部の水密性を確保するにはゴムホースの重なりしろを長くする必要があり、そのため後面板から後方側への突出量が大きくなっていた。これに対し、本食器洗い機では、Ｏリング３８２を介して両者の水密性を高めることにより、第１、第２排水パイプ３７、３８の重なりしろを短くし、図８における後面板１ｂ後方側への突出量Ｇを小さくすることができる。その結果、例えば第２排水パイプ３８の最後方が同一であると仮定した場合、筐体１の後面板１ｂの位置を後方へずらし、その分だけ洗浄庫２を後方側へと広げることができる。
【００４６】
図９はエアトラップ管３５の出口側に装着される円筒体３６と第１排水パイプ３７との連結部の構成を示す外観図（ａ）、及びＣ−Ｃ’線断面図である。この円筒体３６と第１排水パイプ３７の入口側の内筒部３７１とはその密着面に塗布された接着剤により接合されるが、その接着作業の際に周方向の位置合わせが確実に行えるような構造を用いている。
【００４７】
すなわち、円筒体３６の端部には軸方向に延伸して先端の両角が斜めに切除された形状の位置合わせ用の凸片３６１が形成されている。一方、第１排水パイプ３７の周壁面には、上記凸片３６１に対応して内角が傾斜状に形成された凹状受け部３７２が形成されている。第１排水パイプ３７の内筒部３７１を円筒体３６の内周に挿入する際に、上記凸片３６１と凸状受け部３７２の傾斜部が位置合わせの目標となり、視覚上での位置合わせが容易になる。また、内筒部３７１を円筒体３６の内周に挿入していったときに、若干、周方向に両者の位置ずれがあったとしても、凸片３６１と凸状受け部３７２の傾斜面が接触して位置ずれを修正するように案内するため、一旦挿入したあとには周方向のずれは凸片３６１と凸状受け部３７２凹部と凸部との隙間の距離内に収まる。更にまた、凹状受け部３７２は円筒体３６の縁端に対向する箇所が周方向に長く延びた延在部３７２ａを有している。これにより、挿入作業時に延在部３７２ａと凸片３６１の根元の円周面との隙間の距離ｄ３を視認し易いので、この距離ｄ３が所定長になるように作業を行うことによって、接着しろの長さがばらつかず、均一性の高い作業が行えるという利点がある。
【００４８】
次に、水漏れ検知部５０の構成及び動作を図３に加えて図５〜図７を参照しつつ説明する。図５は図３中のＡ−Ａ’線断面図、図６は図３中のＢ−Ｂ’線断面図、図７は要部の上面図である。
【００４９】
水漏れ検知部５０は、合成樹脂製の電極ホルダ５１と、該電極ホルダ５１に着脱自在に取り付けられた二個の電極部５２とを含む。電極部５２は、電気回路基板と電線とを、又は電線同士を着脱自在に接続するために一般に使用される圧着端子を利用したコネクタであって、図５に示すように、電気ケーブル５２４の末端に圧着された金属端子５２３と、これを嵌挿したハウジング５２１とを有する。電極ホルダ５１の取付板面５１１には、二個のハウジング５２１をそれぞれ挿入可能な角穴５１２を有し、該角穴５１２にハウジング５２１を挿入するとその両側に備えられたばね部５２２の弾性力によって角穴５１２に安定して固定される。このように電極部５２を着脱容易なコネクタ構造とすることにより、断線等の際に交換が容易に行え保守性が高まる。また、金属端子５２３はハウジング５２１内に隠れ、剥き出しになっていないので、後述のように機械的な保護にも有利である。
【００５０】
筐体１の底面板１ｃには、周囲よりも一段低く水溜め部１ｄが形成され、該水溜め部１ｄに臨んで電極部５２が位置するように電極ホルダ５１は筐体１の底面板１ｃにネジで固定される。電極ホルダ５１には角穴５１２を隔てる隔壁片５１３が垂下して設けられており、隔壁片５１３の下端は水溜め部１ｄの底面に接触し、その両側に電極部５２が位置することになる。このとき、図７に示すように、二個の電極部５２は、水溜め部１ｄ内で対角の位置に離して設けられる。なお、電極部５２の二本の電気ケーブル５２４は図示しない制御回路に接続され、両電極部５２間の電気抵抗が所定閾値よりも小さくなると、両電極部５２間に水が満ちていると判断して水漏れ検知信号を出力する。
【００５１】
更には、電極ホルダ５１には肉薄のヒンジ部５１５を介して略円弧状の保護傘部５１６が一体に形成されており、ヒンジ部５１５で保護傘部５１６を折り曲げてその端部の係合爪５１７を係合穴５１８に挿入してロックすると、保護傘部５１６がちょうど電極部５２の上方を覆う。図６に示すように、保護傘部５１６の上面には両側に高いリブ５１６ａが上方に突出して形成されており、両側のリブ５１６ａに挟まれた部分が水案内溝として機能する。なお、中央にも低いリブが形成されているが、これは変形等を防止する補強用のリブであって、水の流れには直接関与しない。
【００５２】
例えば上蓋９による洗浄庫２の上面開口３の閉塞が不充分であると、洗浄運転の際にこの隙間から水が漏れて筐体１内に流下する。また、給水ホースや排水ホースの損傷や接続部の緩み等が生じた場合も同様である。筐体１の底面板１ｃに溜まった水の水位が電極部５２の金属端子５２３が浸る程度にまで達すると、両電極部５２が水を介して導通し、上記制御回路により水漏れ検知信号が出力される。
【００５３】
この水漏れ検知部５０では、両電極部５２の間に隔壁片５１３が存在しているため、例えば大きな水滴は隔壁片５１３で分断されて両電極部５２が導通するのを妨げる。したがって、偶然、大きな水滴により水漏れであると誤って検知されることを防止できる。また、例えば本食器洗い機の輸送時や設置時などに大きな振動が与えられた場合でも、隔壁片５１３が水溜め部１ｄに接触することによって電極部５２自体が底面板１ｃに衝突することを免れる。勿論、仮に電極部５２が底面板１ｃに接触したとしても、金属端子５２３はハウジング５２１の内部に隠れているので、金属端子５２３が損傷を受ける可能性はきわめて低い。
【００５４】
更にまた、電極部５２の上方を保護傘部５１６が覆っているため、電極部５２の上方から水が落下した場合には、落ちた水は保護傘部５１６の上面に当たり、リブ５１６ａで挟まれる水案内溝に沿って流下する。したがって、電極部５２が直接的に被水することがない。このような構造により、この水漏れ検知部５０では高い信頼性を有し、長期間に亘る使用を保証し、しかも水漏れの誤検知も非常に小さい。
【００５５】
なお、電極ホルダ５１は単に水漏れ検知部５０を構成する一部材であるのみならず、製造段階での組立工程時に排水流路３０を構成するエアトラップ管３５を仮に保持する機能も備える。すなわち、図３に示すように電極ホルダ５１の上方にはポケット状の仮台座部５１９が一体に形成されている。この仮台座部５１９は、エアトラップ管３５及び第１排水パイプ３７を連結した後、第１排水パイプ３７を後面板１ｂに固着するまでの間に、これを仮に保持しておくために使用される。この仮台座部５１９に保持された状態では或る程度自由に動くので、第１排水パイプ３７を後面板１ｂに固着する際に、その動きによって位置ずれや寸法のずれなどを吸収することができ、管路や連結部に無理な捻り力や引張・圧縮力が掛からない。
【００５６】
また、上記実施形態は単に一例であって、本発明の趣旨の範囲で適宜変更や修正を行えることは明らかである。
【図面の簡単な説明】
【図１】  本発明の一実施形態による食器洗い機の全体構成を示す概略側面断面図。
【図２】  本実施形態による食器洗い機の要部の背面透視図。
【図３】  本実施形態による食器洗い機の要部の背面透視図。
【図４】  本実施形態による食器洗い機の後部の要部の上面図。
【図５】  図３中のＡ−Ａ’線断面図。
【図６】  図３中のＢ−Ｂ’線断面図。
【図７】  水漏れ検知部の要部の上面図。
【図８】  本実施形態による食器洗い機における第１排水パイプと第２排水パイプとの連結部の横断面図。
【図９】  本実施形態による食器洗い機においてエアトラップ管の出口側に装着される円筒体と第１排水パイプとの連結部の構成を示す外観図（ａ）及びＣ−Ｃ’線断面図。
【図１０】  本実施形態の食器洗い機において給水バルブユニットを給水バルブホルダに嵌め込んだ状態を示す外観図。
【図１１】  図１０中のＤ−Ｄ’線断面図。
【図１２】  図１０中のＥ−Ｅ’線断面図。
【図１３】  他の実施形態の食器洗い機において給水バルブユニットを給水バルブホルダに嵌め込んだ状態を示す外観図。
【図１４】  図１３中のＦ−Ｆ’線断面図。
【符号の説明】
１…筐体
１ｂ…後面板
１ｃ…底面板
１ｄ…水溜め部
２…洗浄庫
２ｂ…後壁
２ｃ…給水口
３…上面開口
４…前面パネル
７…貯水槽
８…洗浄兼排水ポンプ
９…上蓋
１１…ホースホルダ
１１１…直管部
１１２…ホルダ部
１１３…軸部
１２…給水バルブホルダ
１２１…軸支部
１２２…係止片
１２３…ヒンジ部
１２４…係合爪
１２５…係合穴
１２６…ホースクランプ
１２７…ボス
１２８…押さえ板
３０…排水流路
３１…一次排水ホース
３２…逆止弁
３３…二次排水ホース
３４…三次排水ホース
３５…エアトラップ管
３６…円筒体
３６１…凸片
３７…第１排水パイプ
３７１…内筒部
３７２…凹状受け部
３７２ａ…延在部
３７３…鍔部
３８…第２排水パイプ
３８１…鍔部
３８２…Ｏリング
３９…外部排水ホース
４０…給水流路
４１…一次給水ホース
４１１…接続金具
４２…給水バルブ
４２３…締結金具
４３…二次給水ホース
５０…水漏れ検知部
５１…電極ホルダ
５１１…取付板面
５１２…角穴
５１３…隔壁片
５１５…ヒンジ部
５１６…保護傘部
５１６ａ…リブ
５１７…係合爪
５１８…係合穴
５１９…仮台座部
５２…電極部
５２１…ハウジング
５２２…ばね部
５２３…金属端子
５２４…電気ケーブル
６１…電極ホルダ
【図１】
0003831627.tif 000002
【図２】
0003831627.tif 000003
【図３】
0003831627.tif 000004
【図４】
0003831627.tif 000005
【図５】
0003831627.tif 000006
【図６】
0003831627.tif 000007
【図７】
0003831627.tif 000008
【図８】
0003831627.tif 000009
【図９】
0003831627.tif 000010
【図１０】
0003831627.tif 000011
【図１１】
0003831627.tif 000012
【図１２】
0003831627.tif 000013
【図１３】
0003831627.tif 000014
【図１４】
0003831627.tif 000015